(57)【特許請求の範囲】
【請求項１】
画像情報を記録した画像情報記録媒体であって、
コンピュータ処理専用の静止画像情報を記録した第１の画像情報領域と、
前記静止画像情報の各コマをＶｉｄｅｏ−ＣＤ方式のビデオ機器用の画像方式へ変換してそれぞれのコマを所定枚数反復配置して成るスライドショウ式の動画像データを記録し、更に、このスライドショウ上の画像に対してその元である前記第１の画像情報領域に記録されている静止画像データとの対応を示してその動画に画像として重ね書きされる静止画像特定文字データを記録した第２の画像情報領域と、を備えたことを特徴とする画像情報記録媒体。
【請求項２】
コンピュータ処理専用の静止画像情報を、規格が異なる複数のデジタル機器用の画像情報に変換して同一の画像情報記録媒体に記録する画像情報処理装置であって、
コンピュータ処理専用の静止画像情報を第１の画像情報領域に記録する手段と、
前記静止画像情報の各コマをＶｉｄｅｏ−ＣＤ方式のビデオ機器用の画像方式へ変換してそれぞれのコマを所定枚数反復配置して成るスライドショウ式の動画像データを第２の画像情報領域に記録し、更に、このスライドショウ上の画像に対してその元である前記第１の画像情報領域に記録されている静止画像データとの対応を示してその動画に画像として重ね書きされる静止画像特定文字データを第２の画像情報領域に記録する手段と、を備えたことを特徴とする画像情報処理装置。
【請求項３】
コンピュータ処理専用の静止画像情報を、規格が異なる複数のデジタル機器用の画像情報に変換して同一の画像情報記録媒体に記録する画像情報処理プログラムであって、
コンピュータを、コンピュータ処理専用の静止画像情報を第１の画像情報領域に記録する手段と、
前記静止画像情報の各コマをＶｉｄｅｏ−ＣＤ方式のビデオ機器用の画像方式へ変換してそれぞれのコマを所定枚数反復配置して成るスライドショウ式の動画像データを第２の画像情報領域に記録し、更に、このスライドショウ上の画像に対してその元である前記第１の画像情報領域に記録されている静止画像データとの対応を示してその動画に画像として重ね書きされる静止画像特定文字データを第２の画像情報領域に記録する手段と、して機能させることを特徴とする画像情報処理プログラム。
【発明の詳細な説明】
【０００１】
【発明の属する技術分野】
本発明は、画像情報記録媒体、画像情報処理装置、及び画像情報処理プログラムに関し、特に、デジタルカメラで撮影され、かつコンピュータ読み取り可能な記録媒体に記録された画像情報から、ＤＶＤ−ＶｉｄｅｏまたはＶｉｄｅｏ−ＣＤ方式の映像再生装置でも読み取り可能な画像情報を作成し、両者を併せて記録する画像情報記録媒体、画像情報処理装置、及び画像情報処理プログラムに関する。
【０００２】
【従来の技術】
従来、デジタルカメラ等で撮影される画像（静止画像）を、デジタル画像情報として記録する該デジタルカメラ付属の記録媒体は、このデジタル画像情報を、コンピュータ読み取り可能な記録形式として記録している。
【０００３】
また、この記録されたデジタル画像情報の利用方法については、上記デジタル画像情報を、上記記録形式に適合した閲覧ソフト（プログラム）を予めインストールしていたコンピュータ（パーソナルコンピュータ等）を起動して読み取らせ、記録、再生、及びプリントするといった利用方法や、またはプリント専門店でプリントして貰うといった利用方法が一般的に行われている。
【０００４】
近年、パーソナルコンピュータ等のコンピュータを使用して記録（保存）や、再生、またはプリントを行う場合の画質、若しくは専門店にプリントを依頼する場合の仕上がりプリントの画質の向上が、デジタルカメラの重要な性能指標となり、そのため、記録媒体（デジタルカメラに装着されている記録媒体）に記録されるデジタル画像情報の画素数（情報量）は、著しく増大する傾向にある。
【０００５】
また、撮影したデジタル画像を閲覧する手段については、上記のコンピュータを使用する方法以外にも、デジタルカメラ本体に、テレビ受信機を介してモニタする機能を付加しておく方法も存在している。
【０００６】
【発明が解決しようとする課題】
ところで、上記従来のデジタルカメラ付属の記録媒体は、前述のとおり、その利用（保存用記録媒体への記録・再生・プリント）に際して、まず、上記記録媒体の規格に対応する閲覧ソフトをインストールしたパーソナルコンピュータ等のコンピュータを起動することが必要となる。
【０００７】
また、特定の画面だけのプリントをプリント専門店に依頼する際にも、やはり上記記録媒体の規格に対応する閲覧ソフトをインストールしたパーソナルコンピュータ等のコンピュータを起動して撮影された画面を逐次閲覧し、希望する画面が出たらポーズを掛け、対応するコマ番号を予めメモしておいて、それをプリント専門店に示す必要があった。
【０００８】
このようなコンピュータの起動は手数が掛かり、面倒となる。また、パーソナルコンピュータ等のコンピュータが設備として必要となり、さらに、上記記録媒体の規格に対応する閲覧ソフトを予め上記コンピュータにインストールしておく必要があった。また、このような上記記録媒体の規格に対応した閲覧ソフトのインストールは、上記記録媒体の規格が変更される毎に行う必要があり、大変面倒であると共に、コンピュータの使用可能なディスク容量にも負担を与えていた。
【０００９】
また、撮影したデジタル画像をテレビ受信機を使用してモニタする機能が付加されたデジタルカメラの場合も、テレビとの接続が大変に面倒であり、テレビ本来の使用との重複が許されなかった。
【００１０】
本発明は、上記事情に鑑みて成されたもので、コンピュータ処理用の静止画像情報を記録すると共に、この静止画像情報をＤＶＤ−ＶｉｄｅｏまたはＶｉｄｅｏ−ＣＤ方式の映像再生装置でも閲覧できるように記録した画像情報記録媒体並びにそのような記録を可能にするための画像情報記録装置及び画像情報処理プログラムを提供することを目的とする。
【００１１】
【課題を解決するための手段】
本発明の画像情報記録媒体は、画像情報を記録した画像情報記録媒体であって、コンピュータ処理専用の静止画像情報を記録した第１の画像情報領域と、前記静止画像情報の各コマをＶｉｄｅｏ−ＣＤ方式のビデオ機器用の画像方式へ変換してそれぞれのコマを所定枚数反復配置して成るスライドショウ式の動画像データを記録し、更に、このスライドショウ上の画像に対してその元である前記第１の画像情報領域に記録されている静止画像データとの対応を示してその動画に重ね書きされる静止画像特定文字データを記録した第２の画像情報領域と、を備えたことを特徴とする（請求項１）。
また、本発明の画像情報処理装置は、コンピュータ処理専用の静止画像情報を、規格が異なる複数のデジタル機器用の画像情報に変換して同一の画像情報記録媒体に記録する画像情報処理装置であって、コンピュータ処理専用の静止画像情報を第１の画像情報領域に記録する手段と、前記静止画像情報の各コマをＶｉｄｅｏ−ＣＤ方式のビデオ機器用の画像方式へ変換してそれぞれのコマを所定枚数反復配置して成るスライドショウ式の動画像データを第２の画像情報領域に記録し、更に、このスライドショウ上の画像に対してその元である前記第１の画像情報領域に記録されている静止画像データとの対応を示してその動画に重ね書きされる静止画像特定文字データを第２の画像情報領域に記録する手段と、を備えたことを特徴とする（請求項２）。
また、本発明の画像情報処理プログラムは、コンピュータ処理専用の静止画像情報を、規格が異なる複数のデジタル機器用の画像情報に変換して同一の画像情報記録媒体に記録する画像情報処理プログラムであって、コンピュータを、コンピュータ処理専用の静止画像情報を第１の画像情報領域に記録する手段と、前記静止画像情報の各コマをＶｉｄｅｏ−ＣＤ方式のビデオ機器用の画像方式へ変換してそれぞれのコマを所定枚数反復配置して成るスライドショウ式の動画像データを第２の画像情報領域に記録し、更に、このスライドショウ上の画像に対してその元である前記第１の画像情報領域に記録されている静止画像データとの対応を示してその動画に重ね書きされる静止画像特定文字データを第２の画像情報領域に記録する手段と、して機能させることを特徴とする（請求項３）。
【００１２】
上記発明によれば、コンピュータ処理用の画素数の多い静止画像情報を記録すると共に、この静止画像情報をＶｉｄｅｏ−ＣＤ方式の映像再生装置でも閲覧することができ、情報量を確保した元の画像情報と、情報量は落ちるがより汎用的な再生装置で再生可能な画像情報と一つの記録媒体で提供することができる。
そして、第２の画像情報領域に記録されているスライドショウ上の画像に対してその元である前記第１の画像情報領域に記録されている静止画像データとの対応を示してその動画上に表示される情報（文字データ）を付加することで、第２の画像情報領域に記録されているスライドショウ式の動画像データしか閲覧できないユーザが、第１の画像情報領域に記録されている静止画像データをコンピュータを処理を介在させず特定することができる。この結果、記録媒体及びコマ番号を指定することで、第１の画像情報領域に記録されている情報量の多い静止画像データを使ってプリント注文することも可能となる。
【００１４】
【発明の実施の形態】
以下、本発明の実施の形態を図面に基づいて説明する。
（第１の実施の形態）
図１は、本発明の第１の実施の形態に係る画像情報記録媒体のデータ構成を示すデータマップであり、図１（ａ）はＤＶＤ方式の画像情報記録媒体、図１（ｂ）はＣＤ方式の画像情報記録媒体を示す。
【００１５】
本実施の形態に係る画像情報記録媒体のデータ構成は、図１（ａ）に示すＤＶＤ方式の画像情報記録媒体の場合、ＤＶＤ−ＲＯＭ（１）内に、ＤＶＤ−Ｖｉｄｅｏ再生装置用の画像情報領域１１と、コンピュータ処理用の画像情報領域１２とを含む。また、図１（ｂ）に示すＣＤ方式の画像情報記録媒体の場合、ＣＤ−ＲＯＭ（２）内に、Ｖｉｄｅｏ−ＣＤ再生装置用の画像情報領域２１と、コンピュータ処理用の画像情報領域２２とを含む。
【００１６】
ＤＶＤ−Ｖｉｄｅｏ再生装置用の画像情報領域１１には、ＤＶＤ−Ｖｉｄｅｏ再生装置で再生することが可能なデータ形式を備えたデジタル画像情報が書き込まれ、Ｖｉｄｅｏ−ＣＤ再生装置用の画像情報領域２１には、Ｖｉｄｅｏ−ＣＤ再生装置で再生することが可能なデータ形式を備えたデジタル画像情報が書き込まれている。コンピュータ処理用の画像情報領域１２，２２には、パーソナルコンピュータ等のコンピュータを使用して記録、再生、及びプリントが可能なデータ形式をそれぞれ備えたデジタル画像情報が書き込まれている。
【００１７】
コンピュータ処理用の画像情報領域１２，２２は、デジタルカメラのファイル規格ＤＣＦ（Design rule for Camera File system）に則りデジタル画像情報を記録する。プリント用のデジタル画像情報を特定するために、ＤＣＦ規格のコマ番号を利用することで、外部にプリント依頼する場合の画像情報の特定が可能となる。
【００１８】
図２は、本発明の第１の実施の形態に係る画像情報記録媒体の画像情報領域のデータ構成を示すデータマップであり、図２（ａ）はＤＶＤ−Ｖｉｄｅｏ再生装置用の画像情報領域１１の、図２（ｂ）はＶｉｄｅｏ−ＣＤ再生装置用の画像情報領域２１の、図２（ｃ）はコンピュータ処理用の画像情報領域１２の、図２（ｄ）はコンピュータ処理用の画像情報領域２２の、それぞれデータ構成を示す。
【００１９】
図２（ａ）において、ＤＶＤ−Ｖｉｄｅｏ再生装置用の画像情報領域１１のデータ構成は、ＤＶＤビデオ用ディレクトリ領域１１１と、ＤＶＤビデオ画像データ領域１１２とを含む。図２（ｂ）において、Ｖｉｄｅｏ−ＣＤ再生装置用の画像情報領域２１のデータ構成は、ビデオＣＤ用ディレクトリ領域２１１と、ビデオＣＤ画像データ領域２１２とを含む。図２（ｃ）において、コンピュータ処理用の画像情報領域１２のデータ構成は、ＣＰＵ用ディレクトリ領域１２１と、ＣＰＵ用画像データ領域１２２とを含む。図２（ｄ）において、コンピュータ処理用の画像情報領域２２のデータ構成は、ＣＰＵ用ディレクトリ領域２２１と、ＣＰＵ用画像データ領域２２２とを含む。
【００２０】
ＤＶＤビデオ用ディレクトリ領域１１１には、例えば、図３（ａ）で後述するようなファイル情報が書き込まれている。また、ＤＶＤビデオ用画像データ領域１１２には、ＤＶＤ−Ｖｉｄｅｏ再生装置で再生することが可能なデータ形式を備えたデジタル画像データ（静止画像群）が書き込まれている。ビデオＣＤ用ディレクトリ領域２１１には、例えば、図３（ｂ）で後述するようなファイル情報が書き込まれている。また、ビデオＣＤ用画像データ領域２１２には、Ｖｉｄｅｏ−ＣＤ再生装置で再生することが可能なデータ形式を備えたデジタル画像データ（静止画像群）が書き込まれている。ＣＰＵ用ディレクトリ領域１２１には、例えば、図３（ｃ）で後述するようなファイル情報が書き込まれている。また、ＣＰＵ用画像データ領域１２２には、ＤＶＤ−Ｖｉｄｅｏ再生装置を備えたコンピュータを使用して記録、再生、及びプリントすることが可能なデータ形式を備えたデジタル画像データ（静止画像群）が書き込まれている。ＣＰＵ用ディレクトリ領域２２１には、例えば、図３（ｃ）で後述するようなファイル情報が書き込まれている。また、ＣＰＵ用画像データ領域２２２には、Ｖｉｄｅｏ−ＣＤ再生装置を備えたコンピュータを使用して記録、再生、及びプリントすることが可能なデータ形式を備えたデジタル画像データ（静止画像群）が書き込まれている。
【００２１】
図３は、本発明の第１の実施の形態に係る画像情報記録媒体の画像情報領域に含まれるディレクトリ領域の一情報例を示す説明図であり、図３（ａ）はＤＶＤ用ディレクトリ領域１１１、図３（ｂ）はＣＤ用ディレクトリ領域２１１に、図３（ｃ）はＣＰＵ用ディレクトリ領域１２１，２２１に、それぞれ含まれる一情報例を示す。これらの各ディレクトリ領域には、それぞれの画像データ領域に書き込まれているデータに付けられるファイル名、前記データをアクセスするために必要な位置情報、前記データの圧縮方式、誤り訂正コードを含む符号化方式、及び符号化に必要な暗号キー等の情報を書き込むことができる。
【００２２】
図４は、本発明の第１の実施の形態に係る画像情報記録媒体の画像データ領域に書き込まれる一データ例を図解した説明図であり、図４（ａ）はＤＶＤ用画像データ領域１１２に、図４（ｂ）はＣＤ用画像データ領域２１２に、それぞれ書き込まれる一データ例を示す。
【００２３】
ＤＶＤビデオ用画像データ領域１１２には、ＣＰＵ用画像データ領域１２２に書き込まれている静止画像の１コマ毎に、当該静止画像をＤＶＤ−Ｖｉｄｅｏ形式に合わせてリサイズした画像の反復映像が記録されている。この反復記録数は、例えば、各静止画像をそれぞれ５秒間だけ動画（スライドショウ式の動画）として再生することが可能なような数とする。
【００２４】
また、ＤＶＤ用画像データ領域１１２の記録に際しては、ＤＶＤの字幕ストリーム用の領域（コマ番号や撮影日時等の文字情報の記録が可能）の利用や、マルチアングルデータ用の領域（字幕を重ね書きした映像を別アングルのストリームとして記録）の利用が可能であり、これらの機能を使用することにより、例えば、元の静止画像に対応するコマ番号を任意のタイミングで再生表示させることができる。
【００２５】
ＣＤ用画像データ領域２１２には、ＣＰＵ用画像データ領域２２２に書き込まれている静止画像の１コマ毎に、当該静止画像をＶｉｄｅｏ−ＣＤ形式に合わせてリサイズした画像の反復映像が記録されている。この反復記録数は、例えば、各静止画像をそれぞれ５秒間だけ動画（スライドショウ式の動画）として再生することが可能なような数とされる。また、これらの反復画像には、１コマ毎に、元の静止画像のコマ番号を重ね書きすることが可能であり、これにより、例えば、元の静止画像に対応するコマ番号を上記動画再生中に表示させることができる。
【００２６】
ユーザは、元の静止画像、及び対応するコマ番号を、ＤＶＤ−Ｖｉｄｅｏ再生装置上またはＶｉｄｅｏ−ＣＤ再生装置上で再生表示される動画（スライドショウ式の動画）として、例えば、５秒間だけ閲覧することができるので、プリントを希望する静止画像のコマ番号をメモしておき、このメモにプリントサイズやプリント枚数を併記した上で、そのＤＶＤ若しくはＣＤメディアとともにプリント専門店に提出することができる。
【００２７】
本実施の形態によれば、コンピュータ処理用の画素数の多い静止画像情報を記録すると共に、この静止画像情報をＤＶＤ−ＶｉｄｅｏまたはＶｉｄｅｏ−ＣＤ方式の映像再生装置でもスライドショウ式の動画として閲覧することができるように記録した画像情報記録媒体を得ることができるという効果がある。
【００２８】
（第２の実施の形態）
図５は、本発明の第２の実施の形態に係る画像情報処理装置の全体構成を示すブロック図である。本実施の形態に係る画像情報処理装置は、出力される画像情報記録媒体がＤＶＤ−Ｖｉｄｅｏ再生装置用か、またはＶｉｄｅｏ−ＣＤ再生装置用かで、本来、詳細構成が異なるものであるが、ここでは、双方に共通の部分のブロック図を示す。
【００２９】
本実施の形態に係る画像情報処理装置は、モードを指定入力するための入力装置５１と、キーボードインターフェース５２と、全体を制御する制御部５３と、制御プログラム及び制御に必要なデータを記憶する記憶部５４と、デジタルカメラ記憶媒体５Ａの内容を読み取り、場合によっては再書き込みする読み取り・（記録）装置５５と、デシタルカメラ記憶媒体５Ａに記録された画像データをＤＶＤ−Ｖｉｄｅｏ再生装置用またはＶｉｄｅｏ−ＣＤ再生装置用の画像データ（スライドショウ式の動画）に変換するデータ変換部５６と、前記変換された画像データ（スライドショウ式の動画）をファイル化すると共に、デシタルカメラ記憶媒体５Ａに記録された画像情報のファイルと併せて編集し、かつ出力するファイル編集部５７と、ファイル編集部５７からの出力をコンピュータと、ＤＶＤ−Ｖｉｄｅｏ再生装置またはＶｉｄｅｏ−ＣＤ再生装置のいずれでも再生可能な形式でブランク記録媒体に記録し、編集済記録媒体５Ｄとして出力する記録装置５８とを具備する。
【００３０】
以下、本実施の形態に係る画像情報処理装置の機能を説明する。
本発明の実施の形態に係る画像情報処理装置は、デジタルカメラ等により画像データ（静止画）が書き込まれた記録媒体（ここではデジタルカメラ記録媒体５Ａ）から、コンピュータと、ＤＶＤ−Ｖｉｄｅｏ再生装置またはＶｉｄｅｏ−ＣＤ再生装置のいずれでも再生可能な形式で記録された画像情報記録媒体（実施の形態１に係る画像情報記録媒体であり、ここでは編集済記録媒体５Ｄ）を作成する。
【００３１】
以下、本実施の形態に係る画像情報処理装置の機能を主要な構成要素毎に説明する。
入力装置５１からは、モードや制御データを指定入力することができる。このモードには、ファイル編集部５７が記録装置５８を介してブランク記録媒体５Ｃへの出力を行うか、それともファイル編集部５７が読み取り・（記録）装置５５を介してデジタルカメラ記録媒体５Ａへの出力を行うかの選択や、ＤＶＤ−Ｖｉｄｅｏ再生装置用の出力がなされる場合に、「字幕機能を使用する」、「マルチアングル機能を使用する」等の選択項目を含めることができる。
【００３２】
また、制御データには、ＤＶＤ−Ｖｉｄｅｏ再生装置またはＶｉｄｅｏ−ＣＤ再生装置の画像データに、静止画の１コマ当たりにつき、何秒間の動画（スライドショウ式の動画）を作成するのかを指定するデータを含めることができる。
【００３３】
制御部５３は、記憶部５４に記憶されている制御プログラムを逐次ローディングして起動する。この制御プログラムは、構成要素の各々を必要に応じて制御できるように作成されている。
【００３４】
読み取り・（記録）装置５５は、装着されたデジタルカメラ記録媒体５Ａに記録された画像情報を読み取る。また、オプショナル機能として、ファイル編集部からの出力（ＤＶＤ−Ｖｉｄｅｏ再生装置用またはＶｉｄｅｏ−ＣＤ再生装置用の画像情報の出力）があった場合には、デジタルカメラ記録媒体５Ａに、上記出力を再書き込みし、デジタルカメラ記録媒体５Ｂとして出力する。
【００３５】
データ変換部５６は、デシタルカメラ記憶媒体５Ａに記録されたコンピュータ用の画像情報から画像データを抽出し、ＤＶＤ−Ｖｉｄｅｏ再生装置用またはＶｉｄｅｏ−ＣＤ再生装置用の画像データ（スライドショウ式の動画）に変換する。この変換には、静止画の１コマ毎に、データをデータ圧縮する手段、圧縮された１コマ毎のデータをＤＶＤ−Ｖｉｄｅｏ再生装置またはＶｉｄｅｏ−ＣＤ再生装置で再生可能なデータ形式に変換する手段、変換されたデータを入力装置５１から指定された枚数分だけ複製する手段、複製されたデータをスライドショウ式の動画表示が可能なように配置する手段、字幕機能やマルチアングル機能に対応したデータを配置する手段等が含まれる。
【００３６】
ファイル編集部５７は、データ変換部５６が配置したスライドショウ式の動画データにディレクトリ情報を付加してファイル化すると共に、デシタルカメラ記憶媒体５Ａに記録されている画像情報のファイルと併せて編集し、その後、コンピュータと、ＤＶＤ−Ｖｉｄｅｏ再生装置またはＶｉｄｅｏ−ＣＤ再生装置のいずれでも再生可能な形式の画像情報ファイルとして出力する。
【００３７】
記録装置５８は、ファイル編集部５７からＤＶＤ−Ｖｉｄｅｏ再生装置またはＶｉｄｅｏ−ＣＤ再生装置のいずれでも再生可能な形式で出力された画像情報を、ブランク記録媒体５Ｃに記録し、編集済記録媒体５Ｄとして出力する。
【００３８】
図６は、本発明の第２の実施の形態に係る画像情報処理装置の動作を示すフローチャートである。以下、図５を参照しながら、図６に示すフローチャートを使用して、本実施の形態に係る画像情報処理装置の動作を説明する。
【００３９】
まず、ステップＳ１では、読み取り・（記録）装置５５が、装着されたデジタルカメラ記録媒体５Ａに記録された画像情報を読み取る。ステップＳ２では、データ変換部５６が、デシタルカメラ記憶媒体５Ａに記録されたコンピュータ用の画像情報から画像データを抽出する。ステップＳ３では、データ変換部５６が、抽出されたコンピュータ用の画像データの静止画の１コマ毎に、データをデータ圧縮する。ステップＳ４では、データ変換部５６が、変換されたデータを入力装置５１から指定された枚数分だけ複製する。ステップＳ５では、データ変換部５６が、圧縮された１コマ毎のデータをＤＶＤ−Ｖｉｄｅｏ再生装置またはＶｉｄｅｏ−ＣＤ再生装置で再生可能なデータ形式に変換する。ステップＳ６では、複製されたデータをスライドショウ式の動画表示が可能なように配置する。ステップＳ７では、データ変換部５６が、字幕機能やマルチアングル機能に対応したデータを配置する。
【００４０】
ステップＳ８では、ファイル編集部５７が、データ変換部５６が配置したスライドショウ式の動画データにディレクトリ情報を付加してファイル化する。ステップＳ９では、ファイル編集部５７が、上記のファイルを、デシタルカメラ記憶媒体５Ａに記録された画像情報のファイルと併せて編集する。ステップＳ１０では、ファイル編集部５７が、編集後の画像情報ファイルを、コンピュータと、ＤＶＤ−Ｖｉｄｅｏ再生装置またはＶｉｄｅｏ−ＣＤ再生装置のいずれでも再生可能な形式の画像情報ファイルとして出力する。ステップＳ１１では、記録装置５８が、ファイル編集部５７からＤＶＤ−Ｖｉｄｅｏ再生装置またはＶｉｄｅｏ−ＣＤ再生装置のいずれでも再生可能な形式で出力された画像情報を、ブランク記録媒体５Ｃに記録し、編集済記録媒体５Ｄとして出力する。
【００４１】
なお、図６のフローチャートで示した処理を実行するプログラムなど、画像情報処理装置に上記の処理を行わせるためのプログラムは、本発明に係るプログラムであり、半導体メモリを始め、ＣＤ−ＲＯＭや、磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【００４２】
本実施の形態によれば、コンピュータ処理可能な画素数の多い静止画像情報から、この静止画像情報をコンピュータと共に、ＤＶＤ−ＶｉｄｅｏまたはＶｉｄｅｏ−ＣＤ方式の映像再生装置でもスライドショウ式の動画として閲覧することができるように画像情報記録媒体に記録する画像情報処理装置を実現することができるという効果がある。
【００４３】
【発明の効果】
以上に説明したように本発明によれば、コンピュータ処理用の画素数の多い静止画像情報を記録すると共に、この静止画像情報をＤＶＤ−ＶｉｄｅｏまたはＶｉｄｅｏ−ＣＤ方式の映像再生装置でも閲覧することができ、情報量を確保した元の画像情報と、情報量は落ちるがより汎用的な再生装置で再生可能な画像情報と一つの記録媒体で提供することができる。
【図面の簡単な説明】
【図１】本発明の第１の実施の形態に係る画像情報記録媒体のデータ構成を示すデータマップである。
【図２】本発明の第１の実施の形態に係る画像情報記録媒体の画像情報領域のデータ構成を示すデータマップである。
【図３】本発明の第１の実施の形態に係る画像情報記録媒体の画像情報領域に含まれるディレクトリ領域の一情報例を示す説明図である。
【図４】本発明の第１の実施の形態に係る画像情報記録媒体の画像データ領域に書き込まれる一データ例を図解した説明図である。
【図５】本発明の第２の実施の形態に係る画像情報処理装置の全体構成を示すブロック図である。
【図６】本発明の第２の実施の形態に係る画像情報処理装置の動作を示すフローチャートである。
【符号の説明】
１  ＤＶＤ−ＲＯＭ
２  ＣＤ−ＲＯＭ
１１  ＤＶＤ−Ｖｉｄｅｏ再生装置用の画像情報領域
１２、２２  コンピュータ処理用の画像情報領域
２１  Ｖｉｄｅｏ−ＣＤ再生装置用の画像情報領域
５１  入力装置
５２  キーボードインターフェース
５３  制御部
５４  記憶部
５５  読み取り・（記録）装置
５６  データ変換部
５７  ファイル変換部
５８  記録装置
５Ａ  デジタルカメラ記録媒体
５Ｂ  編集済デジタルカメラ記録媒体
５Ｃ  ブランク記録媒体
５Ｄ  編集済記録媒体
１１１  ＤＶＤビデオ用ディレクトリ領域
１１２  ＤＶＤビデオ用画像データ領域
１２１、２２１  ＣＰＵ用ディレクトリ領域
１２２  ＣＰＵ用画像データ領域
２１１  ビデオＣＤ用ディレクトリ領域
２１２  ビデオＣＤ用画像データ領域
２２２  ＣＰＵ用画像データ領域
【図１】
0003929741.tif 000002
【図２】
0003929741.tif 000003
【図３】
0003929741.tif 000004
【図４】
0003929741.tif 000005
【図５】
0003929741.tif 000006
【図６】
0003929741.tif 000007